(57)【要約】  本発明によるドア組立体は、内部面から上部方向に延びるリフティング突起が形成される内部ドア;前記内部ドアの上部に配置される外部ドア;及び前記内部ドアと前記外部ドアの間に配置され、前記リフティング突起と連動する作動ロッドが配置されるドアプレート;を含む。本発明は、ハウジングを開閉できるドア組立体として、前記内部ドアの上部方向へのリフティング動作により前記リフティング突起は、前記作動ロッドの上部方向のリフティングを可能にすることを特徴とする。【選択図】図２
2015513657.tif 000002
【特許請求の範囲】
【請求項１】
内部面から上部方向に延びるリフティング突起が形成される内部ドアと;
前記内部ドアの上部に配置される外部ドア;及び
前記内部ドアと前記外部ドアの間に配置され、前記リフティング突起と連動する作動ロッドが配置されるドアプレート;
を含み、
ハウジングを開閉できるドア組立体として、
前記内部ドアの上部方向へのリフティング動作により、前記リフティング突起が、前記作動ロッドの上部方向のリフティングを可能にすることを特徴とする、ドア組立体。
【請求項２】
前記ドア組立体が、
往復スライディング運動するレバーバー;
前記レバーバーと連動して回転運動する前記作動ロッド;及び
前記作動ロッドの一端部の回転を案内するロッドガイド;
をさらに含み、
前記ロッドガイドは、前記作動ロッドの一端部の上下方向移動を制約することを特徴とする、
請求項1に記載のドア組立体。
【請求項３】
前記ドア組立体が、
前記作動ロッドの他端部に配置されるマグネチック;及び
前記マグネチックの位置を感知できるマグネチックセンサ;
をさらに含むことを特徴とする、
請求項2に記載のドア組立体。
【請求項４】
前記ドア組立体が、
前記ドアプレートの下部に所定の離隔距離で固定配置される支持フレームをさらに含み、
前記内部ドアが、前記支持フレーム上に上下方向運動が可能に締結されることを特徴とする、
請求項2に記載のドア組立体。
【請求項５】
前記作動ロッドが、固定ホルダ、前記固定ホルダから一方向に延び、前記ロッドガイドに連結される第１ロッド及び前記固定ホルダから前記第１ロッドと対向する方向に延び、マグネチックが配置される第２ロッドを含み、前記第１ロッドの終端が前記ロッドガイドに位置することを特徴とする、
請求項1に記載のドア組立体。
【請求項６】
前記内部ドアが、下部方向に行くほど直径が小さくなる漏斗状の構造であることを特徴とする、
請求項1に記載のドア組立体。
【請求項７】
前記リフティング突起は、前記内部ドアの縁部に隣接して配置されることを特徴とする、
請求項1に記載のドア組立体。  
【請求項８】
請求項1〜7のいずれか一項に記載のドア組立体を含むことを特徴とする、密閉型加圧装置。
【請求項９】
前記外部ドア上にレバー及び取っ手が位置し、
前記外部ドアが、前記取っ手によりピボット運動し、そして
前記内部ドアが、前記レバーにより回転運動することを特徴とする、
請求項8に記載の密閉型加圧装置。
【請求項１０】
前記密閉型加圧装置が、生ゴミ処理機であることを特徴とする、請求項8に記載の密閉型加圧装置。
【請求項１１】
前記ハウジングが、吸排気モジュールであり、そして
前記生ゴミ処理機が、
前記ドア組立体により開閉可能な乾燥炉;
前記乾燥炉と連通する前記吸排気モジュール;及び
前記吸排気モジュールと連通する熱交換器をさらに含むことを特徴とする、請求項10に記載の密閉型加圧装置。
【請求項１２】
前記乾燥炉の内側の排出ガスが、前記吸排気モジュールを通じて前記熱交換器で流動して熱交換されて再循環ガスに変換され、そして
前記再循環ガスが、前記吸排気モジュールを通じて前記乾燥炉の内側に流入することを特徴とする、請求項11に記載の密閉型加圧装置。
【請求項１３】
前記生ゴミ処理機が、
前記吸排気モジュール及び前記熱交換器と連通して前記排出ガスが流動する排出ガス流路;
前記吸排気モジュール及び前記熱交換器と連通して前記再循環ガスが流動する再循環ガス流路;及び
前記熱交換器で前記排出ガスの熱交換時に発生した凝縮水が流動するバッファタンクをさらに含むことを特徴とする、請求項11に記載の密閉型加圧装置。
【発明の詳細な説明】
【技術分野】
【０００１】
本発明は、ドア組立体及びこれを含む密閉型加圧装置に関する。より具体的には、本発明は、加圧装置内で発生する圧力によるドアのリフティングを感知することにより、加圧装置内で発生し得る過負荷を未然に防止できるようにするドア組立体及びこれを含む密閉型加圧装置に関する。
【背景技術】
【０００２】
家庭または飲食店などでは、毎日生ゴミが排出されるが、ほとんどは水気のみを切った後、廃棄されている。これはゴミの量を増大させ、悪臭を発生させて周辺の空気を汚染するので、近年、一般家庭や飲食店では生ゴミを減らそうとする努力が盛んに行われている。そのような努力の一つとして生ゴミ処理機が広く使用されている。
【０００３】
生ゴミ処理機の目標の一つには、処理されて排出される生ゴミの体積を減らすことが挙げられる。生ゴミの体積は、大部分水分で占められるいるので、生ゴミから水分を除去すると、外部に排出される生ゴミの体積は急減少する。除去された水分は大部分排出ガスに含まれる。
【０００４】
したがって、最も広く使用されている生ゴミ処理機の一種である粉砕乾燥式生ゴミ処理機は、生ゴミが投入されて粉砕され、乾燥する乾燥炉と；乾燥炉の内部で生ゴミ処理中に発生する悪臭と水分を多量に含む、高温の排出ガスを排出する排出路と；排出路上に位置して、排出ガスの湿気及び悪臭を除去する吸湿フィルタ並びに脱臭フィルタを含む。フィルタリングされたガスは生ゴミ処理機外部の大気に排出される。
【０００５】
生ゴミ処理機に使用されるフィルタは消耗品であるため、周期的に交換しなければならず、交換が定時に行われない場合、悪臭成分がそのまま外気に排出されるという問題がある。
【０００６】
これを解消しうる異なる方式での生ゴミ処理機の一つとして、排出ガスを外部に排出せずに、生ゴミ処理機の内部で再循環させる循環方式生ゴミ処理機が挙げられる。循環方式の生ゴミ処理機は、排出ガスが外部に排出されずに再循環するため、フィルタが必要でないという大きなメリットがある。
【０００７】
しかし、逆にそれに対応するものとして、悪臭のある排出ガスが生ゴミ処理機の内側に滞留し続けるので、悪臭が外部に排出されないようにするためには、外部に連通する空間ごとにしっかりと封止する必要である。
【０００８】
前述のように生ゴミ処理機を封止するためには、生ゴミ処理機の上部に配置されて生ゴミの投入を可能にするドア組立体と乾燥炉との間に強固な封止が必要とされる。
【０００９】
一方、従来の生ゴミ処理機を構成するドア組立体の場合は、ドアの開放または閉鎖のみを感知する構造になっているので、粉砕過程での乾燥炉内の生ゴミ量が多過ぎたり乾燥過程で発生する蒸気により乾燥炉内に限度以上の蒸気圧力を形成する場合に対処する方法を持たないため、製品の不良が頻繁に発生しているのが現状である。
【００１０】
即ち、消費者の立場で適正量の生ゴミを算定できない状態で、多量の生ゴミを投入し過ぎると、ドア部の変形、ドア離脱、及び異常作動などにより製品の性能が十分に発揮できなくなり、一方では安全上の問題をも誘発する。
【００１１】
前記で言及した問題は、生ゴミ処理機に限らず、炊飯器、蒸し器等のように、装置内で圧力の発生が可能な全ての密閉型加圧装置に発生するものである。
【発明の概要】
【発明が解決しようとする課題】
【００１２】
したがって、本発明は、従来技術の持つ問題点を解決するために、密閉型加圧装置内の圧力により発生するドア組立体内部ドアの上部方向へのリフティングを感知し、製品の作動を停止したりアラーム音を発生しうるようにするドア組立体及びこれを含む密閉型加圧装置を提供する。
【００１３】
また、ドア組立体内に配置され、内部ドアと連動する作動レバーが、てこの原理により大きい裕隔で上昇することを用いることにより、前記作動レバーの指定位置の離脱如何が容易に分かるドア組立体及びこれを含む密閉型加圧装置を提供する。
【課題を解決するための手段】
【００１４】
前記のような課題を解決するために、本発明の第１観点によるドア組立体は、内部面から上部方向に延びるリフティング突起が形成される内部ドア;前記内部ドアの上部に配置される外部ドア;及び前記内部ドアと前記外部ドアとの間に配置され、前記リフティング突起と連動する作動ロッドが配置されるドアプレート;を含む。
【００１５】
本発明は、ハウジングが開閉可能なドア組立体であって、前記内部ドアの上部方向へのリフティング動作により前記リフティング突起は、前記作動ロッドの上部方向のリフティングを可能にすることを特徴とする。
【００１６】
前記ドア組立体は、往復スライディング運動するレバーバー;前記レバーバーと連動して回転運動する前記作動ロッド;及び前記作動ロッドの一端部の回転を案内するロッドガイド;をさらに含み、前記ロッドガイドは、前記作動ロッドの一端部の上下方向の移動を制約することが好ましい。
【００１７】
前記ドア組立体は、前記作動ロッドの他端部に配置されるマグネチック;及び前記ドアプレート上に固定配置され、前記マグネチックの位置を感知できるマグネチックセンサ;をさらに含むことが好ましい。
【００１８】
前記ドア組立体は、前記ドアプレートの下部に所定の離隔距離で固定配置される支持フレームをさらに含み、前記内部ドアは、前記支持フレーム上に上下方向運動可能に締結されることが好ましい。
【００１９】
前記作動ロッドは、固定ホルダ、前記固定ホルダから一方向に延び、前記ロッドガイドに連結される第１ロッド及び前記固定ホルダから前記第１ロッドと対向する方向に延び、マグネチックが配置される第２ロッドを含み、前記第１ロッドの終端が前記ロッドガイドに位置することが好ましい。
【００２０】
前記内部ドアは、下部方向に行くほど直径が小さくなる漏斗状の構造であることが好ましい。
【００２１】
前記リフティング突起は、前記内部ドアの縁部に隣接して配置されることが好ましい。
【００２２】
本発明の他の実施例により、ドア組立体を含むことを特徴とする密閉型加圧装置を提供する。
【００２３】
前記密閉型加圧装置は、前記外部ドア上にレバー及び取っ手が位置し、前記外部ドアは、前記取っ手によりピボット運動し、そして前記内部ドアは、前記レバーにより回転運動することが好ましい。
【００２４】
本発明の他の実施例により、前記密閉型加圧装置は生ゴミ処理機であることが好ましい。
【００２５】
前記ハウジングは、吸排気モジュールであり、そして、前記生ゴミ処理機は、前記ドア組立体により開閉可能な乾燥炉;前記乾燥炉と連通する前記吸排気モジュール;及び既吸排気モジュールと連通する熱交換器をさらに含むことが好ましい。
【００２６】
前記乾燥炉の内側の排出ガスは、前記吸排気モジュールを通じて前記熱交換器で流動して熱交換されて再循環ガスに変換され、そして、前記再循環ガスは、前記吸排気モジュールを通じて前記乾燥炉の内側に流入することが好ましい。
【００２７】
前記生ゴミ処理機は、前記吸排気モジュール及び前記熱交換器と連通して前記排出ガスが流動する排出ガス流路;前記吸排気モジュール及び前記熱交換器と連通して前記再循環ガスが流動する再循環ガス流路;及び前記熱交換器で前記排出ガスの熱交換時に発生した凝縮水が流動するバッファタンクをさらに含むことが好ましい。
【発明の効果】
【００２８】
本発明によるドア組立体は、密閉型加圧装置の内圧により発生する内部ドアの上部方向へのリフティングを感知することにより、ドア部の変形、ドア離脱、及び異常作動などを防止することができる。
【００２９】
また、ドア組立体内に配置され、内部ドアと連動する作動レバーがてこの原理により大きい裕隔で上昇することを用いることにより、内部ドアの短い移動距離にもかかわらず、作動レバーの終端に配置されるマグネチックの移動距離を最大化できるというメリットを有する。
【００３０】
併せて、内部ドアの上部方向のリフティングが基準の限度を逸脱する場合においては、製品の作動を停止したりアラームを発生し得るようにして消費者の安全を最優先的に保護することができるようにする。
【図面の簡単な説明】
【００３１】
【図１】本発明によるドア組立体及びこれを含む生ゴミ処理機の斜視図、
【図２】本発明によるドア組立体の全体的な構成を示す斜視図、
【図３】図2のドア組立体の断面斜視図、
【図４】図2のドア組立体を下部方向から見た斜視図、及び
【図５】乾燥炉の内部からドア組立体に向かって過負荷が発生する場合の内部ドア及び作動レバーの作動状態を示すための図面である。
【発明を実施するための形態】
【００３２】
用語の定義
本発明において用いられる用語「加圧装置」は、装置の内側で発生する超圧力により装置自体に圧力が加えられる一切の装置を意味するものであって、加圧装置の例としては炊飯器、蒸し器、生ゴミ処理機、ボイラーなどがあるが、これに制限されるものではない。
【００３３】
以下、図面を参照し、本発明を詳しく説明する。本発明によるドア組立体は、どのような密閉型加圧装置(例えば、炊飯器、蒸し器等)にも適用が可能であるが、本発明の一例として生ゴミ処理機への適用が可能であり、以下で図1を参照して生ゴミ処理機を説明する。
【００３４】
本発明による生ゴミ処理機は、乾燥炉100、吸排気モジュール200、ファン組立体300、バッファタンク(図示せず)、熱交換器500及びドア組立体600を含む。
【００３５】
ドア組立体600は、乾燥炉100の上部に位置する。ユーザーはドア組立体600を開放して乾燥炉100の内側に処理しようとする生ゴミを投入することができる。
【００３６】
乾燥炉100には、生ゴミが投入されて処理される。ヒータ(図示せず)及び粉砕/攪拌機(図示せず)が位置し、投入された生ゴミが乾燥、粉砕、攪拌されることにより、細かくつぶされて外部に排出され、この過程において高温多湿で悪臭のある排出ガスが生成される。
【００３７】
乾燥、粉砕、攪拌のいずれか1つ以上がなされることにより、生ゴミが処理されるが、以下では、このような過程を生ゴミの「処理」と称する。
【００３８】
吸排気モジュール200は、乾燥炉100と連通する。吸排気モジュール200の一方の側は乾燥炉100と連通し、乾燥炉100で生成された排出ガスが吸排気モジュール200に流入し、吸排気モジュール200に流入した再循環ガスが乾燥炉100に流入する。
【００３９】
また、吸排気モジュール200の他方の側は、排出ガス流路210及び再循環ガス流路270と連通し、吸排気モジュール200に流入した排出ガスが排出ガス流路210に流動し、再循環ガス流路270から再循環ガスが流入する。
【００４０】
ファン組立体300は、1つのモータと循環ファン310及び冷却ファン370からなる。ここで、1つのモータにより循環ファン310と冷却ファン370のいずれをも作動させることが、製品のサイズを小さくして製造原価を下げることができるので好ましい。
【００４１】
循環ファン310は、排出ガス流路210と連通し、高温多湿の排出ガスが吸排気モジュール200から熱交換器500に流動するようにする。
【００４２】
冷却ファン370の一方の側は、外気と連通し、他方の側は熱交換器500と連通し、外部空気を熱交換器500に供給して空冷式熱交換がなされるようにする。
【００４３】
循環ファン310は高温多湿の排出ガスの流動を助け、冷却ファン370は低温の外部空気の流動を助けるために、相互に対して封止されることが好ましい。
【００４４】
熱交換器500は、排出ガス流路210及び再循環ガス流路270と連通される。
【００４５】
排出ガス流路210を通じて供給された高温多湿の排出ガスは、熱交換器500の内側で熱交換されて凝縮水を発生させ、排出ガスを低温の再循環ガスに変換させる。このため、冷却ファン370によって外部空気が流入する。
【００４６】
バッファタンク(図示せず)は、熱交換器500で排出ガスの熱交換により生成された凝縮水を集めて外部に放出させる。
【００４７】
このように、吸排気モジュール200を用いた循環方式の生ゴミ処理機は、悪臭のある排出ガスを外部に排出させなので、フィルタを必要とせず製造原価が節減され、フィルタ交換が必要ないため、面倒さがなくメンテナンス費用も節減される。特に、図示されるように、1つのモータを活用して2つのファン310, 370を駆動させることにより、製品の体積が減少し、製造原価が節約されるというメリットがある。
【００４８】
図2〜図5を参照し、本発明によるドア組立体600を詳しく説明する。示された実施例においてドア組立体600が締結されて開閉を断続するハウジングは、乾燥炉100または吸排気モジュール200であるが、本発明によるドア組立体600は、どのようなハウジングにも適用が可能であり、以下では開閉が断続するハウジングを図面の符号「200」で説明する。
【００４９】
また、本発明によるドア組立体600は、どのような密閉型加圧装置(例えば、炊飯器、蒸し器等)にも用いられるが、発明の一例として生ゴミ処理機に用いられる。前述のように、生ゴミ処理機、特に循環方式の生ゴミ処理機に適用されることがより好ましいことは言うまでもない。
【００５０】
本発明によるドア組立体600は、外部ドア610と内部ドア630を含めて二重で封止が可能な構造であり、外部ドア610と内部ドア630の間にドアプレート620及び支持フレーム660が位置する。
【００５１】
外部ドア610上には、レバー613及び取っ手614が露出するように形成される。
【００５２】
ドアプレート620の上には、内部ドア630を開閉するための各種構成要素が配置される。具体的には、ドア組立体600は、内部ドア630を開放するために、外部ドア610の上に露出されるレバー613、レバー613に結合してスライディング運動するレバーバー640、及びレバーバー640と連動して回転運動する作動ロッド650、及び作動ロッド650の一端部の回転を案内するロッドガイド622を含み、作動ロッド650の他端部に配置されるマグネチック655を含むことがより好ましい。
【００５３】
支持フレーム660は、ドアプレート620と内部ドア630の間に配置されるが、具体的には、ドアプレート620からは一定距離離隔された状態で固定され、内部ドア630を上下移動可能な状態に維持させる。
【００５４】
内部ドア630は、下部方向に行くほど直径が小さくなる漏斗状の構造であってもよく、内部面から上部方向に延びるリフティング突起631が形成される。前記リフティング突起631は、内部ドア630の縁部に隣接して配置されることが好ましい。リフティング突起631は、支持フレーム660に形成されたフレームホール662及びドアプレート620に形成されたプレートホール624を貫通して作動ロッド650の下端に接触する形で配置される。
【００５５】
外部ドア610は取っ手614により開放され、内部ドア630は以下で後述するレバーバー640と作動ロッド650により回転式で開放される。外部ドア610の開放方式は、従来のどのような方式が適用されても構わない。
【００５６】
レバー613は、ドア組立体600の外側に位置し、ユーザーが内部ドア630を開放しようとする場合、力を加えて往復運動させることができる。レバーバー640は、ドア組立体600の外側で示されないように外部ドア610の下側、特に、レバー613の下側に位置してレバー613の往復運動により、ともに往復運動する。
【００５７】
作動ロッド650の一端部の移動を案内するようにロッドガイド622が位置する。
【００５８】
ロッドガイド622は、レバーバー640の往復運動により、作動ロッド650が回動軸664を中心にピボット運動できるように、作動ロッド640の一端を維持させるとともにピボット運動の範囲を限定する係止段の機能をする。
【００５９】
このために、ロッドガイド622は、図2、3に示された通り、弧状の突出部で構成されてもよく、作動ロッド650の一端部は、ロッドガイド622内に位置して上下方向への運動が制約される。
【００６０】
ユーザーは、レバー613を上下に移動させ、レバーバー640の往復運動により作動ロッド650の回転を可能にする。作動ロッド650の回転に伴って前記作動ロッド650に連結された内部ドア630が回転駆動をする。
【００６１】
作動ロッド650は、固定ホルダ652、固定ホルダ652から一方向に延び、ロッドガイド622に連結される第１ロッド651及び固定ホルダ652から第１ロッド651と対向する方向に延び、マグネチック655が配置される第２ロッド(653)を含み、第１ロッド651の終端がロッドガイド622に配置される。一方、固定ホルダ652から上部に延びて形成される突出ピン654は、回動軸664を中心に放射状移動することにより、中空回転体である内部ドア630に回転力が付与されて開閉が可能になる。
【００６２】
作動ロッド650の他端部には、マグネチック655が位置する。マグネチック655の位置は、どの位置でも構わないが、作動ロッド650の往復運動により、ともに移動するように連動しなければならず、好ましくは、マグネチックセンサ(図示せず)がこれを感知できる所に位置されなければならない。
【００６３】
制御部(図示せず)は、固定されて位置するマグネチックセンサと連通されることにより、作動ロッド650の移動を感知することができ、作動ロッド650に配置されるマグネチック655がマグネチックセンサから一定距離以上逸脱する場合には、製品の動作を停止したりアラーム音を発生するようにすることができる。併せて、制御部は、別途の磁力体によって内部ドア630が完全に閉鎖されたかどうかを感知することができる。
【００６４】
次いで、図2〜図5を再度参照して生ゴミ処理機の乾燥炉内に供給される生ゴミの過投入または乾燥炉内の蒸気圧により発生する内部ドアの上部リフティングを感知して警告音を発する過程を説明する。
【００６５】
乾燥炉100に過度な生ゴミを投入した状態でドア組立体600を閉じたり、乾燥炉100での粉砕及び乾燥過程で発生する過度の蒸気圧により、ドア組立体600の下部に配置される内部ドア630が上部方向にリフティングされる現象が発生しうる(図面符号671を参照)。
【００６６】
内部ドア630がリフティングされることにより、前記内部ドア630に形成されたリフティング突起631が作動ロッド650の第１ロッド651に接触した状態で上昇することにより(図面符号673を参照)、作動ロッド650を全体的に持ち上げる作用をする。
【００６７】
具体的には、第１ロッド651の終端部がロッドガイド622内に位置して上下方向への運動が制約される状態を維持するようになるが、このような状態で作動ロッド650は、第１ロッド651の終端部を基準点としてリフティングがなされる。即ち、第１ロッド651の終端部から最も遠く離れた第２ロッド(653)の終端部に配置されたマグネチック655は、相対的に最も遠い上部方向に移動することができる(図面符号675を参照)。
【００６８】
前記原理を通じてドアプレート620上に固定されるマグネチックセンサから一定距離以上マグネチック655が離隔されるかどうか否かにより生ゴミの過投入如何を知ることができる。
【００６９】
一方、従来、ユーザーは、回転式の内部蓋を開閉するために強い力を加えてで直接内部蓋を回転させなければならなかったため、人体構造上、大きな力を加えることは困難であったが、本発明により単にレバー613を上下に往復運動させて回転式内部ドア630に回転力を容易に加えることができる。人体構造上、ユーザーは上下往復運動に大きな力を適用することができる。
【００７０】
前記では、本発明の好ましい実施例を参照して説明したが、当業界において通常の知識を有する者であれば、以下の特許請求の範囲に記載された本発明の思想及び領域を逸脱しない範囲内で本発明を多様に修正及び変更させることができることを理解できるであろう。
【図１】
2015513657.tif 000003
【図２】
2015513657.tif 000004
【図３】
2015513657.tif 000005
【図４】
2015513657.tif 000006
【図５】
2015513657.tif 000007
【国際調査報告】
2015513657.tif 000008
2015513657.tif 000009
2015513657.tif 000010
2015513657.tif 000011